(57)【要約】      （修正有）【課題】青イソメなどの虫エサを指で触らず確実、容易につまみ、釣り針に付ける操作を安全、迅速に行うことができる釣り用虫エサつまみ用具を提供する。【解決手段】先端の植毛１を２．５ｍｍ前後に短く切りそろえた歯ブラシ２本を向かい合わせにした全長２００ｍｍ程度のピンセット状体を形成する。先端部分の間隔２を１５ｍｍ程度離し、ハンドル３中央部に１００ｇ程度の荷重を掛けて先端２が接するよう、ハンドルの中央から根元にかけて３ａの厚みを調整する。これにより指でつまむのと同様な感覚で確実に虫を保持することが出来る。つまむ部分を短い植毛のブラシ状とすることにより、水洗いのみで滑り止め効果が持続する。虫をつまむ時の邪魔にならないよう、ブラシ部分の縁４は出来る限り少なくする。【選択図】図２
0003159107.tif 000002
【実用新案登録請求の範囲】
【請求項１】
魚釣りに用いる青イソメなどの虫エサを、手、指に触れることなく確実、容易につまみ、安全、迅速に釣り針に付けるための用具
【考案の詳細な説明】
【技術分野】
【０００１】  本考案は、釣りに用いる虫エサをつまみ、釣り針に付けるための用具である。
【背景技術】
【０００２】  青イソメなどの虫エサは、石粉などを虫にまぶさなければ容易につまむことが出来ない。つまむための用具もいろいろ考案されているが、指を補助的に使わない限り、動き回る活きの良い虫を確実につまみ、針に付けるのは困難である。又、ぬめりの強い虫エサをつまむためにすべり止めの工夫を施したものもあるが、虫を傷つけて弱らせたり、使い始めて間もなく虫のぬめりや汚れなどですべり止めの効果が失われるという点は解決されていない。
【先行技術文献】
【特許文献】
【０００３】
【特許文献１】  登録実用新案第３０９４３４７号
【特許文献２】  特許公開２０００−２７９０７８
【特許文献３】  特許公開平９−２７５８６８
【非特許文献】
【０００４】
【非特許文献１】  釣具の逸品通販・ギアラボ  パンフレット（ムシエサつかみ  御影）
【考案の概要】
【考案が解決しようとする課題】
【０００５】  釣り用虫エサの多くは、体表面のぬめりが強く、確実につまむことが難しい。虫に咬まれたり、針で指を刺したりするなどのトラブルも少なくない。また、虫から出る虫汁は匂いが強く、指に付くと石鹸で洗っても容易に取れない。これらの理由により、釣りは好きでも虫エサを直接触ることを嫌がる人が多い。しかし、従来の虫エサつまみ具では、指を補助的に使わない限り動き回る活きの良い虫を確実につまみ、針に付けるのは困難であった。又、すべり止めの工夫を施したものもあるが、使用するうちに虫のぬめりや汚れなどですべり止めの効果が失われる。従って、扱いやすい大きさ、形状で、虫をつまむ部分に持続的な滑り止め効果を持たせることで前述の課題を解決しようとするものである。
【課題を解決するための手段】
【０００６】  本考案は、操作性を良くするために全体の形状を、全長２００ｍｍ程度のプラスチック製ピンセット状とした。また、持続的な滑り止め効果を得るため、虫をつまむ部分は、植毛を短く切りそろえた歯ブラシのヘッド状とする。
【考案の効果】
【０００７】  青イソメなど、ぬめりが強く活発に動き回る虫エサでも、容易につまみ、安全に釣り針に付けることが出来る。虫のぬめりや汚れなどが付着しても、その都度水で洗えばいつまでも新品同様の使用感が保たれる。
【図面の簡単な説明】
【０００８】
【図１】  本考案の虫エサつまみ用具の実施例を示す全体像である。
【図２】  本虫エサつまみ用具の側面図である。
【考案を実施するための形態】
【０００９】  全体の形状をポリプロピレンなどのプラスチック製ピンセット状とし、先端の挟む部分は植毛を短く切りそろえた歯ブラシ様の形態とする。
【実施例】
【０００９】  以下、添付図面に従って実施例を説明する。全体の形状を、長さ２００ｍｍ程度のプラスチック製ピンセット状とし、先端の植毛１は長さ２．５ｍｍ前後  １ａ  に切りそろえる。ピンセット先端の間隔２は１５ｍｍ程度とし、ハンドル３中央部に１００ｇ程度の加重を掛けて先端が接するようにハンドルの中央から根元にかけて３ａの厚さを調整する。植毛部の縁４は、虫をつまみあげる時の邪魔にならないように出来る限り少なくする。
【符号の説明】
【００１０】    １  植毛
１ａ植毛の長さ
２  先端の間隔
３  ハンドル
３ａハンドルの厚み調整部分
４  植毛部の縁
【図１】
0003159107.tif 000003
【図２】
0003159107.tif 000004
【手続補正書】
【提出日】平成21年12月1日(2009.12.1)
【手続補正１】
【補正対象書類名】実用新案登録請求の範囲
【補正対象項目名】全文
【補正方法】変更
【補正の内容】
【実用新案登録請求の範囲】
【請求項１】
形状は、植毛を２．５ｍｍ前後に短く切りそろえ、縁を最小限に切り詰めた歯ブラシ２本を向かい合わせに成型された、全長２０ｃｍ程度のピンセット状である。ハンドルは、ポリプロピレンなど、弾性を有するプラスチック製で、中央付近に１００ｇ程度の加重を掛けることで先端が接するよう、ハンドル中央部から根元にかけての厚みが調整されている。これらの特徴を併せ持つ、虫エサをつまみ、釣り針に付ける為の用具。
【手続補正２】
【補正対象書類名】明細書
【補正対象項目名】全文
【補正方法】変更
【補正の内容】
【考案の詳細な説明】
【技術分野】
【０００１】  本考案は、釣りに用いる虫エサをつまみ、釣り針に付けるための用具である。
【背景技術】
【０００２】  青イソメなどの虫エサは、石粉などを虫にまぶさなければ容易につまむことが出来ない。つまむための用具もいろいろ考案されているが、指を補助的に使わない限り、動き回る活きの良い虫を確実につまみ、針に付けるのは困難である。又、ぬめりの強い虫エサをつまむためにすべり止めの工夫を施したものもあるが、虫を傷つけて弱らせたり、使い始めて間もなく虫のぬめりや汚れなどですべり止めの効果が失われるという点は解決されていない。
【先行技術文献】
【特許文献】
【０００３】
【特許文献１】  登録実用新案第３０９４３４７号
【特許文献２】  特許公開２０００−２７９０７８
【特許文献３】  特許公開平９−２７５８６８
【非特許文献】
【０００４】
【非特許文献１】  釣具の逸品通販・ギアラボ  パンフレット（ムシエサつかみ  御影）
【考案の概要】
【考案が解決しようとする課題】
【０００５】  釣り用虫エサの多くは、体表面のぬめりが強く、確実につまむことが難しい。虫に咬まれたり、針で指を刺したりするなどのトラブルも少なくない。また、虫から出る虫汁は匂いが強く、指に付くと石鹸で洗っても容易に取れない。これらの理由により、釣りは好きでも虫エサを直接触ることを嫌がる人が多い。しかし、従来の虫エサつまみ具では、指を補助的に使わない限り動き回る活きの良い虫を確実につまみ、針に付けるのは困難であった。又、すべり止めの工夫を施したものもあるが、使用するうちに虫のぬめりや汚れなどですべり止めの効果が失われる。従って、扱いやすい大きさ、形状で、虫をつまむ部分に持続的な滑り止め効果を持たせることで前述の課題を解決しようとするものである。
【課題を解決するための手段】
【０００６】  本考案は、操作性を良くするために全体の形状を、全長２００ｍｍ程度のプラスチック製ピンセット状とした。また、持続的な滑り止め効果を得るため、虫をつまむ部分は、植毛を短く切りそろえた歯ブラシのヘッド状とする。
【考案の効果】
【０００７】  青イソメなど、ぬめりが強く活発に動き回る虫エサでも、容易につまみ、安全に釣り針に付けることが出来る。虫のぬめりや汚れなどが付着しても、その都度水で洗えばいつまでも新品同様の使用感が保たれる。
【図面の簡単な説明】
【０００８】
【図１】  本考案の虫エサつまみ用具の実施例を示す全体像である。
【図２】  本虫エサつまみ用具の側面図である。
【考案を実施するための形態】
【０００９】  全体の形状をポリプロピレンなどのプラスチック製ピンセット状とし、先端の挟む部分は植毛を短く切りそろえた歯ブラシ様の形態とする。
【実施例】
【００１０】  以下、添付図面に従って実施例を説明する。全体の形状を、長さ２００ｍｍ程度のプラスチック製ピンセット状とし、先端の植毛１は長さ２．５ｍｍ前後  １ａ  に切りそろえる。ピンセット先端の間隔２は１５ｍｍ程度とし、ハンドル３中央部に１００ｇ程度の加重を掛けて先端が接するようにハンドルの中央から根元にかけて３ａの厚さを調整する。植毛部の縁４は、虫をつまみあげる時の邪魔にならないように出来る限り少なくする。
【符号の説明】
【００１１】  １    植毛
１ａ  植毛の長さ
２    先端の間隔
３    ハンドル
３ａ  ハンドルの厚み調整部分
４    植毛部の縁
【手続補正書】
【提出日】平成22年2月10日(2010.2.10)
【手続補正１】
【補正対象書類名】実用新案登録請求の範囲
【補正対象項目名】全文
【補正方法】変更
【補正の内容】
【実用新案登録請求の範囲】
【請求項１】
プラスチック製ピンセットの先端の挟む部分に植毛を短く切りそろえた歯ブラシ植毛部が向い合わせに備えられている虫エサをつまむための用具。
【手続補正２】
【補正対象書類名】明細書
【補正対象項目名】全文
【補正方法】変更
【補正の内容】
【考案の詳細な説明】
【技術分野】
【０００１】  本考案は、釣りに用いる虫エサをつまみ、釣り針に付けるための用具である。
【背景技術】
【０００２】  青イソメなどの虫エサは、石粉などを虫にまぶさなければ容易につまむことが出来ない。つまむための用具もいろいろ考案されているが、指を補助的に使わない限り、動き回る活きの良い虫を確実につまみ、針に付けるのは困難である。又、ぬめりの強い虫エサをつまむためにすべり止めの工夫を施したものもあるが、虫を傷つけて弱らせたり、使い始めて間もなく虫のぬめりや汚れなどですべり止めの効果が失われるという点は解決されていない。
【先行技術文献】
【特許文献】
【０００３】
【特許文献１】  登録実用新案第３０９４３４７号
【特許文献２】  特許公開２０００−２７９０７８
【特許文献３】  特許公開平９−２７５８６８
【非特許文献】
【０００４】
【非特許文献１】  釣具の逸品通販・ギアラボ  パンフレット（ムシエサつかみ  御影）
【考案の概要】
【考案が解決しようとする課題】
【０００５】  釣り用虫エサの多くは、体表面のぬめりが強く、確実につまむことが難しい。虫に咬まれたり、針で指を刺したりするなどのトラブルも少なくない。また、虫から出る虫汁は匂いが強く、指に付くと石鹸で洗っても容易に取れない。これらの理由により、釣りは好きでも虫エサを直接触ることを嫌がる人が多い。しかし、従来の虫エサつまみ具では、指を補助的に使わない限り動き回る活きの良い虫を確実につまみ、針に付けるのは困難であった。又、すべり止めの工夫を施したものもあるが、使用するうちに虫のぬめりや汚れなどですべり止めの効果が失われる。従って、扱いやすい大きさ、形状で、虫をつまむ部分に持続的な滑り止め効果を持たせることで前述の課題を解決しようとするものである。
【課題を解決するための手段】
【０００６】  本考案は、操作性を良くするために全体の形状を、全長２００ｍｍ程度のプラスチック製ピンセット状とした。また、持続的な滑り止め効果を得るため、虫をつまむ部分は、植毛を短く切りそろえた歯ブラシのヘッド状とする。
【考案の効果】
【０００７】  青イソメなど、ぬめりが強く活発に動き回る虫エサでも、容易につまみ、安全に釣り針に付けることが出来る。虫のぬめりや汚れなどが付着しても、その都度水で洗えばいつまでも新品同様の使用感が保たれる。
【図面の簡単な説明】
【０００８】
【図１】  本考案の虫エサつまみ用具の実施例を示す全体像である。
【図２】  本虫エサつまみ用具の側面図である。
【考案を実施するための形態】
【０００９】  全体の形状をポリプロピレンなどのプラスチック製ピンセット状とし、先端の挟む部分は植毛を短く切りそろえた歯ブラシ様の形態とする。
【実施例】
【００１０】  以下、添付図面に従って実施例を説明する。全体の形状を、長さ２００ｍｍ程度のプラスチック製ピンセット状とし、先端の植毛１は長さ２．５ｍｍ前後  １ａ  に切りそろえる。ピンセット先端の間隔２は１５ｍｍ程度とし、ハンドル３中央部に１００ｇ程度の荷重を掛けて先端が接するようにハンドルの中央から根元にかけて３ａの厚さを調整する。植毛部の縁４は、虫をつまみあげる時の邪魔にならないように出来る限り少なくする。
【符号の説明】
【００１１】  １    植毛
１ａ  植毛の長さ
２    先端の間隔
３    ハンドル
３ａ  ハンドルの厚み調整部分
４    植毛部の縁